【手続補正書】
【提出日】平成16年9月28日(2004.9.28)
【手続補正１】
【補正対象書類名】明細書
【補正対象項目名】特許請求の範囲
【補正方法】変更
【補正の内容】
【特許請求の範囲】
【請求項１】
ローレンツ力または磁歪を用いて被検体に電磁気的に超音波を発生させ、この超音波を検出して被検体の計測を行う電磁超音波計測方法において、
所定パルス幅内で周波数および振幅を変化させたチャープ信号を、ピーク間電圧１０００Ｖpp以上でセンサコイルの耐圧の許す限り高い電圧以下に増幅し、送信用センサコイルを介して前記被検体に送信し、この被検体より受信用センサコイルを介して得られた受信信号と、前記送信信号と同一または類似の波形の参照信号との相関演算を行い、この相関演算後の受信信号を用いて前記被検体の計測を行うようにしたことを特徴とする電磁超音波計測方法。
【請求項２】
ローレンツ力または磁歪を用いて被検体に電磁気的に超音波を発生させ、この超音波を検出して被検体の計測を行う電磁超音波計測装置において、
前記被検体に磁場をかける外部磁化器、並びに送信用センサコイルおよびこの送信用センサコイルと兼用または別個の受信用センサコイルと、
所定パルス幅内で周波数および振幅を変化させたチャープ信号を数値データとして算出するチャープ信号算出手段と、
前記チャープ信号算出手段の算出したチャープ信号を、送信信号、参照信号としてそれぞれ記憶する送信信号記憶手段および参照信号記憶手段と、
前記送信信号記憶手段に記憶された送信信号を読出しアナログ信号に変換するＤ／Ａ変換手段と、
前記Ｄ／Ａ変換手段の出力するアナログ信号をピーク間電圧１０００Ｖpp以上でセンサコイルの耐圧の許す限り高い電圧以下に、電力増幅して前記送信用センサコイルに印加する電力増幅手段と、
前記受信用センサコイルが得た受信信号を増幅する受信増幅手段と、
前記受信増幅手段の増幅した受信信号を数値データに変換するＡ／Ｄ変換手段と、
前記Ａ／Ｄ変換手段の出力する数値データと、前記参照信号記憶手段から読出した参照信号との相関演算を行う相関演算手段とを備えたことを特徴とする電磁超音波計測装置。
【手続補正２】
【補正対象書類名】明細書
【補正対象項目名】０００８
【補正方法】変更
【補正の内容】
【０００８】
【課題を解決するための手段】
本発明の請求項１に係る電磁超音波計測装置は、ローレンツ力または磁歪を用いて被検体に電磁気的に超音波を発生させ、この超音波を検出して被検体の計測を行う電磁超音波計測方法において、所定パルス幅内で周波数および振幅を変化させたチャープ信号を、ピーク間電圧１０００Ｖpp以上でセンサコイルの耐圧の許す限り高い電圧以下に増幅し、送信用センサコイルを介して前記被検体に送信し、この被検体より受信用センサコイルを介して得られた受信信号と、前記送信信号と同一または類似の波形の参照信号との相関演算を行い、この相関演算後の受信信号を用いて前記被検体の計測を行うようにしたものである。
【手続補正３】
【補正対象書類名】明細書
【補正対象項目名】０００９
【補正方法】変更
【補正の内容】
【０００９】
本発明の請求項２に係る電磁超音波計測装置は、ローレンツ力または磁歪を用いて被検体に電磁気的に超音波を発生させ、この超音波を検出して被検体の計測を行う電磁超音波計測装置において、前記被検体に磁場をかける外部磁化器、並びに送信用センサコイルおよびこの送信用センサコイルと兼用または別個の受信用センサコイルと、所定パルス幅内で周波数および振幅を変化させたチャープ信号を数値データとして算出するチャープ信号算出手段と、前記チャープ信号算出手段の算出したチャープ信号を、送信信号、参照信号としてそれぞれ記憶する送信信号記憶手段および参照信号記憶手段と、前記送信信号記憶手段に記憶された送信信号を読出しアナログ信号に変換するＤ／Ａ変換手段と、前記Ｄ／Ａ変換手段の出力するアナログ信号をピーク間電圧１０００Ｖpp以上でセンサコイルの耐圧の許す限り高い電圧以下に、電力増幅して前記送信用センサコイルに印加する電力増幅手段と、前記受信用センサコイルが得た受信信号を増幅する受信増幅手段と、前記受信増幅手段の増幅した受信信号を数値データに変換するＡ／Ｄ変換手段と、前記Ａ／Ｄ変換手段の出力する数値データと、前記参照信号記憶手段から読出した参照信号との相関演算を行う相関演算手段とを備えたものである。
【手続補正４】
【補正対象書類名】明細書
【補正対象項目名】００１０
【補正方法】変更
【補正の内容】
【００１０】
上記請求項１，２に係る電磁超音波計測方法、装置によって、比較的に低い送信電圧でも大きな平均電力を送信し、強い超音波を発生させ、高感度の計測を行うことができる。
また受信信号は参照信号と相関演算を行うので、相関演算後の圧縮エコー信号を高い時間分解能でかつ高いＳＮ比とすることができる。
さらに上記効果のほかに、従来は実用できなかった電磁超音波が本来持っている広帯域性を発揮した計測が可能となり、種々の計測用途に適用できる。
【手続補正５】
【補正対象書類名】明細書
【補正対象項目名】００１１
【補正方法】変更
【補正の内容】
【００１１】
前記請求項１に係る方法において、前記被検体に送信するチャープ信号が所定の周波数特性を持つように、その振幅および位相を変化させるものである。
また、前記請求項１に係る方法において、前記受信信号と相関演算を行う参照信号が所定の周波数特性を持つように、その振幅および位相を変化させるものである。
【手続補正６】
【補正対象書類名】明細書
【補正対象項目名】００１２
【補正方法】変更
【補正の内容】
【００１２】
前記請求項２に係る装置において、前記チャープ信号算出手段の算出したチャープ信号に対して、所定の周波数特性を持つようにその振幅および位相を変化させる変調を行い、この変調処理後の信号を前記送信信号記憶手段に供給する変調手段を付加したものである。
また、前記請求項２に係る装置において、前記チャープ信号算出手段の算出したチャープ信号に対して、所定の周波数特性を持つようにその振幅および位相を変化させる変調を行い、この変調処理後の信号を前記参照信号記憶手段に供給する変調手段を付加したものである。
【手続補正７】
【補正対象書類名】明細書
【補正対象項目名】００１３
【補正方法】変更
【補正の内容】
【００１３】
上記の電磁超音波計測方法、装置によって、センサコイルや接続ケーブルによって受信信号の周波数特性に影響を受ける場合にも、相関処理後の周波数特性が所望の特性となり、その結果サイドローブの少ない時間分解能に優れたエコー信号を得ることができる。
【手続補正８】
【補正対象書類名】明細書
【補正対象項目名】００１４
【補正方法】変更
【補正の内容】
【００１４】
前記請求項１に係る方法において、前記被検体に送信するチャープ信号が第１の所定周波数特性を持つようにその振幅および位相を変化させるとともに、前記受信信号と相関演算を行う参照信号が第２の所定周波数特性を持つようにその振幅および位相を変化させるものである。
また、前記請求項２に係る装置において、前記チャープ信号算出手段の算出したチャープ信号に対して、第１の所定周波数特性を持つようにその振幅および位相を変化させる変調を行い、この変調処理後の信号を前記送信信号記憶手段に供給する第１の変調手段と、前記チャープ信号に対して、第２の所定周波数特性を持つようにその振幅および位相を変化させる変調を行い、この変調処理後の信号を前記参照信号記憶手段に供給する第２の変調手段とを付加したものである。
【手続補正９】
【補正対象書類名】明細書
【補正対象項目名】００１５
【補正方法】変更
【補正の内容】
【００１５】
上記の電磁超音波計測方法、装置によって、被検体が変ったり、センサコイルや接続ケーブルを交換した際に受信信号の周波数特性が変化した場合にも、送信信号または参照信号のいずれか一方の周波数特性を変えることにより、容易にサイドローブの少ない時間分解能に優れたエコー信号を得ることができる。